(57)【要約】【課題】ランダムアクセス手順後に、正確に上りチャネルのパスロスを算出する。【解決手段】本発明に係る無線基地局ｅＮＢは、最大送信可能電力ＰＴＸＭＡＸと、ＵＰＨと、リソースブロックの数ＭＰＵＳＣＨと、送信フォーマットに対応するオフセット値ΔＴＦ（ＴＦ（ｉ））と、セル共通の送信電力決定パラメータＰ０_ｎｏｍｉｎａｌ_ＰＵＳＣＨと基づいて、ＰＵＳＣＨにおけるパスロスＰＬを算出するパスロス算出部２５と、移動局ＵＥに対して、ランダムアクセス手順が終了した際に、ＲＲＣメッセージによって、移動局固有の送信電力オフセット値Ｐ０_ＵＥ_ＰＵＳＣＨを送信する送信部２３とを具備し、送信部２３は、ランダムアクセス手順の終了時に、前回送信した移動局固有の送信電力オフセット値Ｐ０_ＵＥ_ＰＵＳＣＨと異なる値を含む移動局固有の送信電力オフセット値Ｐ０_ＵＥ_ＰＵＳＣＨを送信する。【選択図】図７
2011061706.tif 000002
【特許請求の範囲】
【請求項１】
無線基地局と移動局との間の上りチャネルを介して通信を行う移動通信システムであって、
前記無線基地局は、
前記移動局における最大送信可能電力と、該移動局から受信した該最大送信可能電力と実際の送信電力との差分情報と、該移動局に対して割り当てられているリソースブロックの数と、該移動局に対して割り当てられている送信フォーマットに対応するオフセット値と、セル共通の送信電力決定パラメータと基づいて、前記上りチャネルにおけるパスロスを算出するように構成されているパスロス算出部と、
前記移動局に対して、ランダムアクセス手順が終了した際に、個別メッセージによって、移動局固有の送信電力オフセット値を送信するように構成されている送信部とを具備し、
前記移動局は、
前記移動局に対して割り当てられているリソースブロックの数と、該移動局に対して割り当てられている送信フォーマットに対応するオフセット値と、前記無線基地局から受信した前記セル共通の送信電力決定パラメータ及び前記移動局固有の送信電力オフセット値と、該無線基地局と前記移動局との間の下りチャネルにおけるパスロスと、該無線基地局から受信した送信電力制御コマンドの累積値とに基づいて、前記上りチャネルにおける送信電力を決定するように構成されている決定部を具備し、
前記無線基地局の送信部は、ランダムアクセス手順の終了時に、前回送信した移動局固有の送信電力オフセット値と異なる値を含む移動局固有の送信電力オフセット値を送信するように構成されており、
前記移動局の決定部は、前回受信した移動局固有の送信電力オフセット値と異なる値を含む移動局固有の送信電力オフセット値を受信した場合、前記送信電力制御コマンドの累積値を「０」にリセットするように構成されていることを特徴とする移動通信システム。
【請求項２】
前記無線基地局のパスロス算出部は、更に前記移動局固有の送信電力オフセット値に基づいて、前記上りチャネルにおけるパスロスを算出するように構成されていることを特徴とする請求項１に記載の移動通信システム。
【請求項３】
移動局との間の上りチャネルを介して通信を行うように構成されている無線基地局であって、
前記移動局における最大送信可能電力と、該移動局から受信した該最大送信可能電力と実際の送信電力との差分情報と、該移動局に対して割り当てられているリソースブロックの数と、該移動局に対して割り当てられている送信フォーマットに対応するオフセット値と、セル共通の送信電力決定パラメータと基づいて、前記上りチャネルにおけるパスロスを算出するように構成されているパスロス算出部と、
前記移動局に対して、ランダムアクセス手順が終了した際に、個別メッセージによって、移動局固有の送信電力オフセット値を送信するように構成されている送信部とを具備し、
前記送信部は、ランダムアクセス手順の終了時に、前回送信した移動局固有の送信電力オフセット値と異なる値を含む移動局固有の送信電力オフセット値を送信することによって、前記移動局における送信電力制御コマンドの累積値を「０」にリセットさせるように構成されていることを特徴とする無線基地局。
【請求項４】
前記パスロス算出部は、更に前記移動局固有の送信電力オフセット値に基づいて、前記上りチャネルにおけるパスロスを算出するように構成されていることを特徴とする請求項３に記載の無線基地局。
【請求項５】
無線基地局との間の上りチャネルを介して通信を行うように構成されている移動局であって、
前記移動局に対して割り当てられているリソースブロックの数と、該移動局に対して割り当てられている送信フォーマットに対応するオフセット値と、前記無線基地局から受信したセル共通の送信電力決定パラメータ及び移動局固有の送信電力オフセット値と、該無線基地局と前記移動局との間の下りチャネルにおけるパスロスと、該無線基地局から受信した送信電力制御コマンドの累積値とに基づいて、前記上りチャネルにおける送信電力を決定するように構成されている決定部を具備し、
前記決定部は、前回のランダムアクセス手順の終了時に受信した移動局固有の送信電力オフセット値と異なる値を含む移動局固有の送信電力オフセット値を受信した場合、前記送信電力制御コマンドの累積値を「０」にリセットするように構成されていることを特徴とする移動局。
【発明の詳細な説明】
【技術分野】
【０００１】
本発明は、移動通信システム、無線基地局及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、移動局ＵＥが、下り方向の参照信号（ＤＬ-ＲＳ：Ｄｏｗｎｌｉｎｋ  Ｒｅｆｅｒｅｎｃｅ  Ｓｉｇｎａｌ）に基づいて、下りチャネルにおけるパスロスを算出し、算出したパスロスに基づいて、上りチャネルにおける送信電力を制御する「Ｏｐｅｎ-ｌｏｏｐ  ＴＰＣ（Ｔｒａｎｓｍｉｓｓｉｏｎ  Ｐｏｗｅｒ  Ｃｏｎｔｒｏｌ）」を行うように構成されている。
【０００３】
そして、「Ｏｐｅｎ-ｌｏｏｐ  ＴＰＣ」の誤差を調整するために、移動局ＵＥが、無線基地局ｅＮＢから受信した送信電力制御コマンド（ＴＰＣコマンド）に基づいて上りチャネルにおける送信電力を制御する「Ｃｌｏｓｅｄ-ｌｏｏｐ  ＴＰＣ」を行うように構成されている。
【０００４】
また、ＬＴＥ方式の移動通信システムでは、無線基地局ｅＮＢは、移動局ＵＥに対するスケジューリング処理（例えば、移動局ＵＥに対して割り当てる優先順位や送信帯域幅（リソースブロック）の決定等）を行ったり、目標ＳＩＲを決定したりするために、上りチャネルにおけるパスロスを正確に知る必要がある。
【０００５】
かかる上りチャネルにおけるパスロスを算出する方法には、無線基地局ｅＮＢが上りチャネルにおける移動局ＵＥの送信電力及び上りチャネルにおける受信電力に基づいて上りチャネルにおけるパスロスを算出する方法Ａと、無線基地局ｅＮＢが移動局ＵＥから受信した最大送信可能電力と実際の送信電力との差分情報及び送信電力決定パラメータに基づいて上りチャネルにおけるパスロスを算出する方法Ｂとがある。
【０００６】
方法Ｂの場合は、上りチャネルの受信精度によらず、正確に移動局ＵＥによって算出されたパスロスを知ることができる。上述の送信電力決定パラメータには、セル共通の送信電力決定パラメータ、及び、移動局ＵＥ毎の送信電力決定パラメータ（移動局ＵＥ固有の送信電力オフセット値や、移動局ＵＥに対して割り当てられているリソースブロック数や、移動局ＵＥに対して割り当てられている送信フォーマットに対応するオフセット値や、ＴＰＣコマンドの累積値）が含まれる。
【先行技術文献】
【非特許文献】
【０００７】
【非特許文献１】３ＧＰＰ  ＴＳ３６.２１３  Ｖ８.７.０、「Ｐｈｙｓｉｃａｌ  Ｌａｙｅｒ  Ｐｒｏｃｅｄｕｒｅ」、２００９年６月
【発明の概要】
【発明が解決しようとする課題】
【０００８】
無線基地局ｅＮＢにおける移動局ＵＥの送信電力決定パラメータと実際に移動局ＵＥによって保持されている送信電力決定パラメータとの間に不一致が生じた場合、かかる誤差がパスロスの測定誤差となってしまう。そのため、無線基地局ｅＮＢと移動局ＵＥとの間で送信電力決定パラメータを正確に一致させる必要がある。しかしながら、ランダムアクセス手順後には、無線基地局ＵＥは、移動局ＵＥ毎の送信電力決定パラメータ、具体的には、ＴＰＣコマンドの累積値を把握することができないという問題点がある。
【０００９】
そこで、本発明は、上述の課題に鑑みてなされたものであり、ランダムアクセス手順後に、無線基地局ｅＮＢによって保持されているＴＰＣコマンドの累積値と移動局ＵＥによって保持されているＴＰＣコマンドの累積値とを一致させ、正確に上りチャネルのパスロスを算出することができる移動通信システム、無線基地局及び移動局を提供することを目的とする。
【課題を解決するための手段】
【００１０】
本発明の第１の特徴は、無線基地局と移動局との間の上りチャネルを介して通信を行う移動通信システムであって、前記無線基地局は、前記移動局における最大送信可能電力と、該移動局から受信した該最大送信可能電力と実際の送信電力との差分情報と、セル共通の送信電力決定パラメータとに基づいて、前記上りチャネルにおけるパスロスを算出するように構成されているパスロス算出部と、前記移動局に対して、ランダムアクセス手順が終了した際に、個別メッセージによって、移動局固有の送信電力オフセット値を送信するように構成されている送信部とを具備し、前記移動局は、前記移動局に対して割り当てられているリソースブロックの数と、該移動局に対して割り当てられている送信フォーマットに対応するオフセット値と、前記無線基地局から受信した前記セル共通の送信電力決定パラメータ及び前記移動局固有の送信電力オフセット値と、該無線基地局と前記移動局との間の下りチャネルにおけるパスロスと、該無線基地局から受信した送信電力制御コマンドの累積値とに基づいて、前記上りチャネルにおける送信電力を決定するように構成されている決定部を具備し、前記無線基地局の送信部は、ランダムアクセス手順の終了時に、前回送信した移動局固有の送信電力オフセット値と異なる値である移動局固有の送信電力オフセット値を送信するように構成されており、前記移動局の決定部は、前回受信した移動局固有の送信電力オフセット値と異なる値を含む移動局固有の送信電力オフセット値を受信した場合、前記送信電力制御コマンドの累積値を「０」にリセットするように構成されていることを要旨とする。
【００１１】
本発明の第２の特徴は、移動局との間の上りチャネルを介して通信を行うように構成されている無線基地局であって、前記移動局における最大送信可能電力と、該移動局から受信した該最大送信可能電力と実際の送信電力との差分情報と、セル共通の送信電力決定パラメータとに基づいて、前記上りチャネルにおけるパスロスを算出するように構成されているパスロス算出部と、前記移動局に対して、ランダムアクセス手順が終了した際に、個別メッセージによって、移動局固有の送信電力オフセット値を送信するように構成されている送信部とを具備し、前記送信部は、ランダムアクセス手順の終了時に、前回送信した移動局固有の送信電力オフセット値と異なる値である移動局固有の送信電力オフセット値を送信することによって、前記移動局における送信電力制御コマンドの累積値を「０」にリセットさせるように構成されていることを要旨とする。
【００１２】
本発明の第３の特徴は、無線基地局との間の上りチャネルを介して通信を行うように構成されている移動局であって、セル共通の送信電力決定パラメータと、該無線基地局と前記移動局との間の下りチャネルにおけるパスロスと、該無線基地局から受信した送信電力制御コマンドの累積値とに基づいて、前記上りチャネルにおける送信電力を決定するように構成されている決定部を具備し、前記決定部は、前回受信した移動局固有の送信電力オフセットと異なる値である移動局固有の送信電力オフセットを受信した場合、前記送信電力制御コマンドの累積値を「０」にリセットするように構成されていることを要旨とする。
【発明の効果】
【００１３】
以上説明したように、本発明によれば、ランダムアクセス手順後に、無線基地局ｅＮＢによって保持されているＴＰＣコマンドの累積値と移動局ＵＥによって保持されているＴＰＣコマンドの累積値とを一致させ、正確に上りチャネルのパスロスを算出することができる移動通信システム、無線基地局及び移動局を提供することができる。
【図面の簡単な説明】
【００１４】
【図１】本発明の第１の実施形態に係る移動通信システムの全体構成図である。
【図２】本発明の第１の実施形態に係る移動局の機能ブロック図である。
【図３】本発明の第１の実施形態に係る移動局によるＴＰＣコマンドの累積値の算出方法の一例を示す図である。
【図４】本発明の第１の実施形態に係る移動局によるＰＵＳＣＨにおける送信電力の算出方法の一例を示す図である。
【図５】本発明の第１の実施形態に係る無線基地局の機能ブロック図である。
【図６】本発明の第１の実施形態に係る無線基地局によるパスロスの算出方法の一例を示す図である。
【図７】本発明の第１の実施形態に係る移動通信システムの動作を示すシーケンス図である。
【発明を実施するための形態】
【００１５】
（本発明の第１の実施形態に係る移動通信システム）
図１乃至図６を参照して、本発明の第１の実施形態に係る移動通信システムについて説明する。
【００１６】
図１に示すように、本実施形態に係る移動通信システムは、ＬＴＥ方式の移動通信システムであって、本実施形態に係る移動通信システムでは、移動局ＵＥは、無線基地局ｅＮＢに対して、上りチャネルであるＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信し、上りチャネルであるＰＵＣＣＨ（Ｐｈｙｓｉｃａｌ  Ｕｐｌｉｎｋ  Ｃｏｎｔｒｏｌ  Ｃｈａｎｎｅｌ）を介して上り制御信号を送信するように構成されている。
【００１７】
また、本実施形態に係る移動通信システムでは、無線基地局ｅＮＢは、移動局ＵＥに対して、下りチャネルを介して、ＴＰＣコマンドや、セル共通の送信電力決定パラメータＰ０_ｎｏｍｉｎａｌ_ＰＵＳＣＨや、移動局ＵＥ固有の送信電力オフセット値Ｐ０_ＵＥ_ＰＵＳＣＨを送信するように構成されている。
【００１８】
図２に示すように、移動局ＵＥは、ＲＡ手順実行部１１と、受信部１２と、決定部１３と、送信部１４とを具備している。
【００１９】
ＲＡ手順実行部１１は、発着信による通信確立を行う場合、ハンドオーバを行う場合、或いは、無線基地局ｅＮＢと移動局ＵＥとの間で上り同期が外れている際に送信すべき上り信号が発生した場合等に、無線基地局ｅＮＢとの間でランダムアクセス手順を実行するように構成されている。
【００２０】
ＲＡ手順実行部１１は、ランダムアクセス手順において、無線基地局ｅＮＢからＲＡレスポンスを受信するまで、ＲＡプリアンブルの送信電力を少しずつ上げて再送するように構成されている。
【００２１】
ここで、ＲＡ手順実行部１１は、ランダムアクセス手順が終了した場合に、図３に示す式に従って、変数ｆ（ｉ）をリセットするように構成されている。
【００２２】
受信部１２は、無線基地局ｅＮＢによって下りチャネルを介して送信された下り信号、具体的には、ＰＤＳＣＨ（Ｐｈｙｓｉｃａｌ  Ｄｏｗｎｌｉｎｋ  Ｓｈａｒｅｄ  Ｃｈａｎｎｅｌ）を介して送信された下りデータ信号やＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信された下り制御信号を受信するように構成されている。
【００２３】
例えば、受信部１２は、無線基地局ｅＮＢによって下りチャネルを介して送信されたＴＰＣコマンドや、セル共通の送信電力決定パラメータＰ０_ｎｏｍｉｎａｌ_ＰＵＳＣＨや、移動局ＵＥ固有の送信電力オフセット値Ｐ０_ＵＥ_ＰＵＳＣＨを受信するように構成されている。
【００２４】
ここで、受信部１２は、ランダムアクセス手順が終了した場合に、ＲＲＣメッセージを介して、無線基地局ｅＮＢから、移動局固有の送信電力オフセット値Ｐ０_ＵＥ_ＰＵＳＣＨを受信するように構成されている。
【００２５】
決定部１３は、移動局ＵＥに対して割り当てられているリソースブロックの数ＭＰＵＳＣＨと、移動局ＵＥに対して割り当てられている送信フォーマットに対応するオフセット値ΔＴＦ（ＴＦ（ｉ））と、無線基地局ｅＮＢから受信したセル共通の送信電力決定パラメータＰ０_ｎｏｍｉｎａｌ_ＰＵＳＣＨ及び移動局ＵＥ固有の送信電力オフセット値Ｐ０_ＵＥ_ＰＵＳＣＨと、無線基地局ｅＮＢと移動局ＵＥとの間の下りチャネルにおけるパスロスＰＬと、かかるパスロスに乗算するセル共通の係数αと、変数ｆ（ｉ）とに基づいて、ＰＵＳＣＨにおける送信電力ＰＴｘを決定するように構成されている。
【００２６】
ここで、変数ｆ（ｉ）は、無線基地局ｅＮＢから受信したＴＰＣコマンドの累積値である。例えば、決定部１３は、無線基地局ｅＮＢから受信したＴＰＣコマンド「＋１」を受信した場合、変数ｆ（ｉ）を「１」だけ増加させ、無線基地局ｅＮＢから受信したＴＰＣコマンド「−１」を受信した場合、変数ｆ（ｉ）を「１」だけ減少させるように構成されていてもよい。
【００２７】
具体的には、決定部１３は、図４に示す式に従って、ＰＵＳＣＨにおける送信電力ＰＴｘを決定するように構成されている。
【００２８】
ここで、受信部１２が、前回受信した移動局ＵＥ固有の送信電力オフセット値Ｐ０_ＵＥ_ＰＵＳＣＨと異なる値である移動局ＵＥ固有の送信電力オフセット値Ｐ０_ＵＥ_ＰＵＳＣＨを受信した場合、決定部１３は、変数ｆ（ｉ）を「０」にリセットするように構成されている。
【００２９】
送信部１４は、無線基地局ｅＮＢに対して、ＰＵＳＣＨを介して上りデータ信号を送信し、ＰＵＣＣＨを介して上り制御信号を送信するように構成されている。
【００３０】
例えば、送信部１４は、定期的に、無線基地局ｅＮＢに対して、「ＵＰＨ（ＵＥ  Ｐｏｗｅｒ  Ｈｅａｄｒｏｏｍ）」を送信するように構成されている。ここで、ＵＰＨは、移動局ＵＥにおける最大送信可能電力ＰＴＸＭＡＸと移動局ＵＥにおける実際のＰＵＳＣＨにおける送信電力ＰＴｘとの差分情報である。
【００３１】
図５に示すように、無線基地局ｅＮＢは、報知情報送信部２１と、ＲＡ手順実行部２２と、送信部２３と、受信部２４と、パスロス算出部２５とを具備している。
【００３２】
報知情報送信部２１は、無線基地局ｅＮＢ配下のセルにおいて報知情報（例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）等）を送信するように構成されている。
【００３３】
例えば、報知情報送信部２１は、報知情報として、上述のセル共通の送信電力決定パラメータＰ０_ｎｏｍｉｎａｌ_ＰＵＳＣＨや、パスロスに乗算するセル共通の係数α等を送信するように構成されている。
【００３４】
ＲＡ手順実行部２２は、発着信による通信確立を行う場合、ハンドオーバを行う場合、或いは、無線基地局ｅＮＢと移動局ＵＥとの間で上り同期が外れている際に送信すべき上り信号が発生した場合等に、移動局ＵＥとの間でランダムアクセス手順を実行するように構成されている。
【００３５】
送信部２３は、移動局ＵＥに対して、ＰＤＳＣＨを介して下りデータ信号を送信し、ＰＤＣＣＨを介して下り制御信号を送信するように構成されている。
【００３６】
具体的には、送信部２３は、無線基地局ｅＮＢに接続中の移動局ＵＥに対して、ＲＲＣメッセージを送信するように構成されている。
【００３７】
例えば、送信部２３は、移動局ＵＥに対して、ランダムアクセス手順が終了した際に、ＲＲＣメッセージによって、移動局ＵＥ固有の送信電力オフセット値Ｐ０_ＵＥ_ＰＵＳＣＨを送信するように構成されている。
【００３８】
ここで、送信部２３は、ランダムアクセス手順の終了時に、前回送信した移動局ＵＥ固有の送信電力オフセット値Ｐ０_ＵＥ_ＰＵＳＣＨと異なる値である移動局ＵＥ固有の送信電力オフセット値Ｐ０_ＵＥ_ＰＵＳＣＨを送信するように構成されている。
【００３９】
例えば、送信部２３は、「０」に設定されている移動局ＵＥ固有の送信電力オフセット値Ｐ０_ＵＥ_ＰＵＳＣＨと「１」に設定されている移動局ＵＥ固有の送信電力オフセット値Ｐ０_ＵＥ_ＰＵＳＣＨとを交互に送信するように構成されていてもよい。
【００４０】
また、送信部２３は、移動局ＵＥに対して、ＰＤＣＣＨを介して、スケジューリング情報（例えば、移動局ＵＥに割り当てられているリソースブロック数等のリソース情報）を送信するように構成されている。
【００４１】
受信部２４は、移動局ＵＥによって上りチャネルを介して送信された上り信号、具体的には、ＰＵＳＣＨを介して送信された上りデータ信号やＰＵＣＣＨを介して送信された上り制御信号を受信するように構成されている。
【００４２】
例えば、受信部２４は、移動局ＵＥによって上りチャネルを介して定期的に送信されたＵＰＨを受信するように構成されている。
【００４３】
パスロス算出部２５は、移動局ＵＥにおける最大送信可能電力ＰＴＸＭＡＸと、移動局ＵＥから受信した最大送信可能電力と実際の送信電力との差分情報ＵＰＨと、移動局ＵＥに対して割り当てられているリソースブロックの数ＭＰＵＳＣＨと、移動局ＵＥに対して割り当てられている送信フォーマットに対応するオフセット値ΔＴＦ（ＴＦ（ｉ））と、セル共通の送信電力決定パラメータＰ０_ｎｏｍｉｎａｌ_ＰＵＳＣＨと、パスロスに乗算するセル共通の係数αとに基づいて、ＰＵＳＣＨにおけるパスロスＰＬを算出するように構成されている。
【００４４】
例えば、パスロス算出部２５は、図６に示す式に従って、ＰＵＳＣＨにおけるパスロスＰＬを算出するように構成されていてもよい。
【００４５】
ここで、移動局ＵＥによって保持されているＴＰＣコマンド累積値ｆ（ｉ）は、ランダムアクセスレスポンスを受信した時点で、図３に示す式に従ってリセットされるため、パスロス算出部２５は、ランダムアクセス手順が終了した時点でのＴＰＣコマンド累積値ｆ（ｉ）を把握することができない。
【００４６】
そのため、送信部２３が、ランダムアクセス手順が終了した時点で、前回送信した移動局ＵＥ固有の送信電力オフセット値Ｐ０_ＵＥ_ＰＵＳＣＨと異なる値である移動局ＵＥ固有の送信電力オフセット値Ｐ０_ＵＥ_ＰＵＳＣＨを送信することによって、移動局ＵＥによって保持されているＴＰＣコマンドの累積値ｆ（ｉ）を「０」にリセットするように構成されている。
【００４７】
したがって、ランダムアクセス手順が終了した時点では、決定部２３は、図６に示す式におけるＴＰＣコマンドの累積値ｆ（ｉ）は「０」であるものとして、ＰＵＳＣＨにおけるパスロスＰＬを算出することができる。
【００４８】
以下、図７を参照して、本実施形態に係る移動通信システムの動作について説明する。
【００４９】
図７に示すように、ステップＳ１００１において、移動局ＵＥは、無線基地局ｅＮＢに対して、ＲＡプリアンブル初期送信電力で、ＲＡプリアンブルを送信するが、かかるＲＡプリアンブルが、無線基地局ｅＮＢに到達しない。  ステップＳ１００２において、移動局ＵＥは、無線基地局ｅＮＢに対して、更にΔｒａｍｕｐ，ｓｔｅｐだけ増加させた送信電力で、ＲＡプリアンブルを送信するが、かかるＲＡプリアンブルも、無線基地局ｅＮＢに到達しない。
【００５０】
なお、Δｒａｍｕｐ，ｓｔｅｐは、ＲＡプリアンブル再送時のパワーランピングのステップ値であり、報知情報として無線基地局ｅＮＢから移動局ＵＥに通知される。
【００５１】
ステップＳ１００３において、移動局ＵＥは、無線基地局ｅＮＢに対して、更にΔｒａｍｕｐ，ｓｔｅｐだけ増加させた送信電力で、ＲＡプリアンブルを送信すると、かかるＲＡプリアンブルが、無線基地局ｅＮＢに到達する。
【００５２】
ステップＳ１００４において、無線基地局ｅＮＢは、移動局ＵＥに対して、ＴＡコマンドδｍｓｇ２を含むＲＡレスポンスを送信する。
【００５３】
ステップＳ１００５において、移動局ＵＥは、ランダムアクセス手順が終了した際に、「ｆ（ｉ）＝ΔＰｒａｍｐｕｐ＋δｍｓｇ２」によって、変数ｆ（ｉ）をリセットする。
【００５４】
ここで、ΔＰｒａｍｐｕｐは、パワーランピング合計値であり、ステップＳ１００２及びＳ１００３において２度パワーランピングを行ったため、「ΔＰｒａｍｐｕｐ＝２×Δｒａｍｕｐ，ｓｔｅｐ」となる。
【００５５】
ステップＳ１００６において、無線基地局ｅＮＢは、移動局ＵＥに対して、「０」に設定されている移動局ＵＥ固有の送信電力オフセット値Ｐ０_ＵＥ_ＰＵＳＣＨを送信する。
【００５６】
ステップＳ１００７において、移動局ＵＥは、「０」に設定されている移動局ＵＥ固有の送信電力オフセット値Ｐ０_ＵＥ_ＰＵＳＣＨを受信した場合、ＴＰＣコマンド累積値ｆ（ｉ）を「０」にリセットする。
【００５７】
ここで、移動局ＵＥは、前回「１」に設定されている移動局ＵＥ固有の送信電力オフセット値Ｐ０_ＵＥ_ＰＵＳＣＨを受信していたか、或いは、無線基地局ｅＮＢとの接続を開始してから未だ移動局ＵＥ固有の送信電力オフセット値Ｐ０_ＵＥ_ＰＵＳＣＨを受信していなかったものとする。
【００５８】
ステップＳ１００８において、移動局ＵＥは、無線基地局ｅＮＢから、「０」に設定されている移動局ＵＥ固有の送信電力オフセット値Ｐ０_ＵＥ_ＰＵＳＣＨを受信する。
【００５９】
ここで、移動局ＵＥは、前回送信された移動局ＵＥ固有の送信電力オフセット値Ｐ０_ＵＥ_ＰＵＳＣＨと同じ値である移動局ＵＥ固有の送信電力オフセット値Ｐ０_ＵＥ_ＰＵＳＣＨを受信したと判断し、ＴＰＣコマンド累積値ｆ（ｉ）をリセットしないものとする。
【００６０】
ステップＳ１００９において、移動局ＵＥは、無線基地局ｅＮＢに対して、ＲＡプリアンブル初期送信電力で、ＲＡプリアンブルを送信すると、かかるＲＡプリアンブルが、無線基地局ｅＮＢに到達する。
【００６１】
ステップＳ１０１０において、無線基地局ｅＮＢは、移動局ＵＥに対して、ＴＡコマンドδｍｓｇ２を含むＲＡレスポンスを送信する。
【００６２】
ステップＳ１０１１において、移動局ＵＥは、ランダムアクセス手順が終了した際に、「ｆ（ｉ）＝ΔＰｒａｍｐｕｐ＋δｍｓｇ２」によって、ＴＰＣコマンド累積値ｆ（ｉ）をリセットする。ここでは、一度もパワーランピングを行っていないため、「ΔＰｒａｍｐｕｐ＝０」となる。
【００６３】
ステップＳ１０１２において、無線基地局ｅＮＢは、移動局ＵＥに対して、「１」に設定されている移動局ＵＥ固有の送信電力オフセット値Ｐ０_ＵＥ_ＰＵＳＣＨを送信する。
【００６４】
ステップＳ１００７において、移動局ＵＥは、「１」に設定されている移動局ＵＥ固有の送信電力オフセット値Ｐ０_ＵＥ_ＰＵＳＣＨを受信した場合、前回送信された移動局ＵＥ固有の送信電力オフセット値Ｐ０_ＵＥ_ＰＵＳＣＨと異なる値である移動局ＵＥ固有の送信電力オフセット値Ｐ０_ＵＥ_ＰＵＳＣＨを受信したと判断し、ＴＰＣコマンド累積値ｆ（ｉ）を「０」にリセットする。
【００６５】
本実施形態に係る移動通信システムによれば、無線基地局ｅＮＢは、ランダムアクセス手順後にも、上りチャネルにおけるパスロスを正確に算出することができる。
【００６６】
また、本実施形態に係る移動通信システムによれば、無線基地局ｅＮＢは、ランダムアクセス手順が終了した際に、移動局ＵＥにおけるＴＰＣコマンドの累積値ｆ（ｉ）を「０」にリセットすることができるので、移動局ＵＥにおけるＴＰＣコマンドの累積値ｆ（ｉ）の値を把握することができないという不具合が発生することを回避することができる。
【００６７】
なお、上述の本実施形態に係る移動通信システムにおいて、無線基地局ｅＮＢのパスロス算出部２５は、ＰＵＳＣＨにおけるパスロスと同様の方法で、ＰＵＣＣＨにおけるパスロスを算出するように構成されていてもよい。
【００６８】
以上に述べた本実施形態の特徴は、以下のように表現されていてもよい。
【００６９】
本実施形態の第１の特徴は、無線基地局ｅＮＢと移動局ＵＥとの間のＰＵＳＣＨ（上りチャネル）を介して通信を行う移動通信システムであって、無線基地局ｅＮＢは、移動局ＵＥにおける最大送信可能電力ＰＴＸＭＡＸと、移動局ＵＥから受信した最大送信可能電力と実際の送信電力との差分情報ＵＰＨと、移動局ＵＥに対して割り当てられているリソースブロックの数ＭＰＵＳＣＨと、移動局ＵＥに対して割り当てられている送信フォーマットに対応するオフセット値ΔＴＦ（ＴＦ（ｉ））と、セル共通の送信電力決定パラメータＰ０_ｎｏｍｉｎａｌ_ＰＵＳＣＨと基づいて、ＰＵＳＣＨにおけるパスロスＰＬを算出するように構成されているパスロス算出部２５と、移動局ＵＥに対して、ランダムアクセス手順が終了した際に、ＲＲＣメッセージ（個別メッセージ）によって、移動局ＵＥ固有の送信電力オフセット値Ｐ０_ＵＥ_ＰＵＳＣＨを送信するように構成されている送信部２３とを具備し、移動局ＵＥは、移動局ＵＥに対して割り当てられているリソースブロックの数ＭＰＵＳＣＨと、移動局ＵＥに対して割り当てられている送信フォーマットに対応するオフセット値ΔＴＦ（ＴＦ（ｉ））と、無線基地局ｅＮＢから受信したセル共通送信電力決定パラメータＰ０_ｎｏｍｉｎａｌ_ＰＵＳＣＨ及び移動局ＵＥ固有の送信電力オフセット値Ｐ０_ＵＥ_ＰＵＳＣＨと、無線基地局ｅＮＢと移動局ＵＥとの間の下りチャネルにおけるパスロスＰＬと、無線基地局ｅＮＢから受信したＴＰＣコマンドの累積値ｆ（ｉ）とに基づいて、ＰＵＳＣＨにおける送信電力ＰＴｘを決定するように構成されている決定部１３を具備し、無線基地局ｅＮＢの送信部２３は、ランダムアクセス手順の終了時に、前回送信した移動局ＵＥ固有の送信電力オフセット値Ｐ０_ＵＥ_ＰＵＳＣＨと異なる値を含む移動局ＵＥ固有の送信電力オフセット値Ｐ０_ＵＥ_ＰＵＳＣＨを送信するように構成されており、移動局ＵＥの決定部１３は、前回受信した移動局ＵＥ固有の送信電力オフセット値Ｐ０_ＵＥ_ＰＵＳＣＨと異なる値を含む移動局ＵＥ固有の送信電力オフセット値Ｐ０_ＵＥ_ＰＵＳＣＨを受信した場合、ＴＰＣコマンドの累積値ｆ（ｉ）を「０」にリセットするように構成されていることを要旨とする。
【００７０】
本実施形態の第１の特徴において、無線基地局ｅＮＢのパスロス算出部２５は、更に、移動局ＵＥ固有の送信電力オフセットＰ０_ＵＥ_ＰＵＳＣＨに基づいて、ＰＵＳＣＨにおけるパスロスＰＬを算出するように構成されていてもよい。
【００７１】
本実施形態の第２の特徴は、移動局ＵＥとの間のＰＵＳＣＨを介して通信を行うように構成されている無線基地局ｅＮＢであって、移動局ＵＥにおける最大送信可能電力ＰＴＸＭＡＸと、移動局ＵＥから受信した最大送信可能電力と実際の送信電力との差分情報ＵＰＨと、移動局ＵＥに対して割り当てられているリソースブロックの数ＭＰＵＳＣＨと、移動局ＵＥに対して割り当てられている送信フォーマットに対応するオフセット値ΔＴＦ（ＴＦ（ｉ））と、セル共通の送信電力決定パラメータＰ０_ｎｏｍｉｎａｌ_ＰＵＳＣＨとに基づいて、ＰＵＳＣＨにおけるパスロスＰＬを算出するように構成されているパスロス算出部２５と、移動局ＵＥに対して、ランダムアクセス手順が終了した際に、ＲＲＣメッセージによって、移動局固有送信電力オフセット値Ｐ０_ＵＥ_ＰＵＳＣＨを送信するように構成されている送信部２３とを具備し、送信部２３は、ランダムアクセス手順の終了時に、前回送信した移動局ＵＥ固有の送信電力オフセット値Ｐ０_ＵＥ_ＰＵＳＣＨと異なる値を含む移動局ＵＥ固有の送信電力オフセット値Ｐ０_ＵＥ_ＰＵＳＣＨを送信することによって、移動局ＵＥにおけるＴＰＣコマンドの累積値ｆ（ｉ）を「０」にリセットさせるように構成されていることを要旨とする。
【００７２】
本実施形態の第２の特徴において、パスロス算出部２５は、更に、移動局ＵＥ固有の送信電力オフセット値Ｐ０_ＵＥ_ＰＵＳＣＨに基づいて、ＰＵＳＣＨにおけるパスロスＰＬを算出するように構成されていてもよい。
【００７３】
本実施形態の第３の特徴は、無線基地局ｅＮＢとの間のＰＵＳＣＨを介して通信を行うように構成されている移動局ＵＥであって、移動局ＵＥに対して割り当てられているリソースブロックの数ＭＰＵＳＣＨと、移動局ＵＥに対して割り当てられている送信フォーマットに対応するオフセット値ΔＴＦ（ＴＦ（ｉ））と、無線基地局ｅＮＢから受信したセル共通の送信電力決定パラメータＰ０_ｎｏｍｉｎａｌ_ＰＵＳＣＨ及び移動局ＵＥ固有の送信電力オフセット値Ｐ０_ＵＥ_ＰＵＳＣＨと、無線基地局ｅＮＢと移動局ＵＥとの間の下りチャネルにおけるパスロスＰＬと、無線基地局ｅＮＢから受信したＴＰＣコマンドの累積値ｆ（ｉ）とに基づいて、ＰＵＳＣＨにおける送信電力ＰＴｘを決定するように構成されている決定部１３を具備し、決定部１３は、前回受信した移動局ＵＥ固有の送信電力オフセット値Ｐ０_ＵＥ_ＰＵＳＣＨと異なる値を含む移動局ＵＥ固有の送信電力オフセット値Ｐ０_ＵＥ_ＰＵＳＣＨを受信した場合、変数ｆ（ｉ）を「０」にリセットするように構成されていることを要旨とする。
【００７４】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ＵＥ…移動局
１１…ＲＡ手順実行部
１２…受信部
１３…決定部
１４…送信部
ｅＮＢ…無線基地局
２１…報知情報送信部
２２…ＲＡ手順実行部
２３…送信部
２４…受信部
２５…パスロス算出部
【図１】
2011061706.tif 000003
【図２】
2011061706.tif 000004
【図３】
2011061706.tif 000005
【図４】
2011061706.tif 000006
【図５】
2011061706.tif 000007
【図６】
2011061706.tif 000008
【図７】
2011061706.tif 000009